(57)【要約】【課題】額縁を狭めるデザインを達成できると共に、回路基板の広い設置範囲を確保できる表示装置を提供する。【解決手段】表示モジュール３と、表示モジュールの周囲に設けられた前キャビネット２と、表示モジュールの左右両端近傍にそれぞれ設けられると共に、表示モジュールの上面と下面にかけて延在する補強金具２０，３０とを備える。補強金具の上端には、表示モジュールの上面に係合するフック部が形成されている。なお、補強金具の下端は、表示モジュールの下面にネジ止めされている。【選択図】図３
2015055639.tif 000002
【特許請求の範囲】
【請求項１】
表示モジュールと、
前記表示モジュールの周囲に設けられた前キャビネットと、
前記表示モジュールの左右両端近傍にそれぞれ設けられると共に、該表示モジュールの上面と下面にかけて延在する補強金具とを備え、
該補強金具の上端には、前記表示モジュールの上面に係合するフック部が形成されていることを特徴とする表示装置。
【請求項２】
請求項１に記載の表示装置であって、
前記補強金具の下端は、前記表示モジュールの下面にネジ止めされていることを特徴とする表示装置。
【請求項３】
請求項１又は２に記載の表示装置であって、
前記補強金具の側端には、前記前キャビネットの内側に向けて延びた差し込み片が形成され、該差し込み片が前記表示モジュールの背面と前記前キャビネットの内側に形成された突部とに当接していることを特徴とする表示装置。
【請求項４】
請求項１から３のいずれか１項に記載の表示装置であって、
前記補強金具の側端には、前記表示モジュールの中央に向けて延びた支持片が形成され、該支持片が前記表示モジュールを駆動させる回路基板を固定していることを特徴とする表示装置。
【請求項５】
請求項１から４のいずれか１項に記載の表示装置であって、
前記表示モジュールの背面を覆う後キャビネットをさらに備え、前記後キャビネットは、前記補強金具にネジ止めされていることを特徴とする表示装置。
【発明の詳細な説明】
【技術分野】
【０００１】
本発明は、表示装置に関し、詳細には、表示モジュールの剛性を高めるための補強金具を設けた表示装置に関する。
【背景技術】
【０００２】
薄型テレビ等の液晶表示装置は、液晶パネルやＬＥＤ（Light Emitting Diode）光源などを含む表示モジュールを有している。液晶パネルの周囲には前キャビネットが設けられ、表示モジュールの背面側は後キャビネットで覆われている。そして、前キャビネットと後キャビネットとをネジ止めする構造が知られている。
液晶パネルは、２枚のガラス基板間に液晶を挟持した構造を有し、液晶分子の配向状態を制御することで、導光板から出射された光の透過／遮断を制御する光シャッタとしての機能を有する。
【０００３】
これらガラス基板の間隔は、表示画面全域に亘って維持しなければならず、表示モジュールの剛性を高めておく必要がある。このため、例えば、特許文献１には、表示モジュールの上下間を連結する補強金具の技術が開示されている。
【先行技術文献】
【特許文献】
【０００４】
【特許文献１】特開２００８−２７５８２４号公報
【発明の概要】
【発明が解決しようとする課題】
【０００５】
しかしながら、上記特許文献１の補強金具は、ブラケットを介して前キャビネットの背面部分にネジ止めされており、この補強金具の締結領域を確保すると、額縁を狭めるデザイン（狭額構造ともいう）の達成が困難になるという問題がある。
また、この補強金具は、表示モジュールの中央近傍に配置されているので、例えば、電源基板やメイン基板等の回路基板の設置範囲が狭くなるという問題もある。さらに、この補強金具は、中継金具を介して表示モジュールの背面部分にもネジ止めされているため、部品点数や作業工数を増やす。
【０００６】
本発明は、上述のような実情に鑑みてなされたもので、額縁を狭めるデザインを達成できると共に、回路基板の広い設置範囲を確保できる表示装置を提供することを目的とする。
【課題を解決するための手段】
【０００７】
上記課題を解決するために、本発明の第１の技術手段は、表示モジュールと、前記表示モジュールの周囲に設けられた前キャビネットと、前記表示モジュールの左右両端近傍にそれぞれ設けられると共に、該表示モジュールの上面と下面にかけて延在する補強金具とを備え、該補強金具の上端には、前記表示モジュールの上面に係合するフック部が形成されていることを特徴としたものである。
【０００８】
第２の技術手段は、第１の技術手段において、前記補強金具の下端は、前記表示モジュールの下面にネジ止めされていることを特徴としたものである。
【０００９】
第３の技術手段は、第１または第２の技術手段において、前記補強金具の側端には、前記前キャビネットの内側に向けて延びた差し込み片が形成され、該差し込み片が前記表示モジュールの背面と前記前キャビネットの内側に形成された突部とに当接していることを特徴としたものである。
【００１０】
第４の技術手段は、第１から３のいずれか１の技術手段において、前記補強金具の側端には、前記表示モジュールの中央に向けて延びた支持片が形成され、該支持片が前記表示モジュールを駆動させる回路基板を固定していることを特徴としたものである。
【００１１】
第５の技術手段は、第１から４のいずれか１の技術手段において、前記表示モジュールの背面を覆う後キャビネットをさらに備え、前記後キャビネットは、前記補強金具にネジ止めされていることを特徴としたものである。
【発明の効果】
【００１２】
本発明によれば、補強金具の上端はフック部を有し、このフック部が表示モジュールの上面に係合するので、従来のような前キャビネットの背面部分に対する補強金具の締結領域を無くすことができる。よって、前キャビネットの大きさを表示モジュールの大きさに近づけ易くなり、額縁を狭めるデザインが達成可能になる。さらに、補強金具を表示モジュールの左右両端近傍にそれぞれ設けるため、表示モジュールの中央部分に回路基板の広い設置範囲を確保できる。
【図面の簡単な説明】
【００１３】
【図１】本発明による表示装置の外観の一例を示す図である。
【図２】図１に示す表示装置から後キャビネットを取り外した状態を示す図である。
【図３】図１に示す表示装置の内部構造を分解した状態の一例を示す図である。
【図４】図３の表示モジュールから補強部材等を取り外した状態の一例を示す図である。
【図５】図４の補強金具の正面図および側面図である。
【図６】図２の突片と差し込み片の断面図である。
【発明を実施するための形態】
【００１４】
以下、添付図面を参照しながら、本発明の表示装置に係る好適な実施の形態について説明する。
図１は、本発明による表示装置の外観の一例を示す図である。図１（Ａ）は表示装置を正面から見た状態を示し、図１（Ｂ）は表示装置を背面から見た状態を示し、図１（Ｃ）は表示装置を左側面から見た状態を示す。図中、１は例えば液晶表示装置、２は前キャビネット、３はパネルモジュール、４は液晶パネル、８は後キャビネット、９はスタンド、１０はコード引出部、１１は端子引出部、１２はスロットを示す。
【００１５】
液晶パネル４は、２枚のガラス基板間に液晶を挟持した構造を有し、液晶を形成する液晶分子の配向状態が制御されることで、後述するパネルモジュール内の導光板から出射された光の透過／遮断を制御する光シャッタとしての機能を有する。
また、前キャビネット２は、例えば、樹脂製の枠形状で形成され、液晶パネル４の周囲に設けられる。
【００１６】
樹脂製の後キャビネット８は、パネルモジュール３の背面側を覆っており、その中央位置には、液晶表示装置１を支持するスタンド９が取り付けられている。後キャビネット８には、後述の電源基板側から電源コードを引き出すためのコード引出部１０や、メイン基板側から各種接続端子を引き出すための端子引出部１１が形成される。また、後キャビネット８の左側面には、液晶表示装置１に差し込まれるＩＣカード用のスロット１２が設けられている。
【００１７】
図２は、図１に示す表示装置から後キャビネットを取り外した状態を示す図であり、図３は、図１に示す表示装置の内部構造を分解した状態の一例を示す図である。
前キャビネット２は、上面２ａ、左面２ｂ、下面２ｃ、右面２ｄが連結して枠形状をなし、パネルモジュール３の上面３ａ、左面３ｂ、下面３ｃ、右面３ｄにそれぞれ対向している。パネルモジュール３は、その図示は省略するが、液晶パネル４の背面側に、光学シート、導光板、反射シート等を有し、この反射シートの背面側に背面シャーシ５を有している。なお、パネルモジュールが本発明の表示モジュールに相当する。
【００１８】
光学シートは、例えば、２枚のマイクロレンズシートと、１枚の輝度向上シートとで構成され、導光板から出射された光の均一化や、正面方向の輝度を向上させるなどの機能を有する。導光板は、アクリルなどの透明な樹脂で形成され、例えば、エッジライト型のＬＥＤ光源からの光を正面側に位置した液晶パネル４に出射する。反射シートは、ＬＥＤ光源から出射した光のうち、導光板に入射しない光を反射して導光板に入射させるなどの機能を有する。
【００１９】
背面シャーシ５は、導光板及び反射シート等を保持し、これらの取り付け台として機能する。
後キャビネット８を取り外した状態では、背面シャーシ５、電源基板６、メイン基板７、補強金具２０，３０等が見えている。メイン基板７には、外部接続端子７ａ、放熱板７ｂやＩＣカード用のカバー７ｃが設けられている。これら電源基板６やメイン基板７が本発明のパネルモジュールを駆動させる回路基板に相当する。
【００２０】
補強金具２０，３０は、液晶表示装置１の上下方向に延びてパネルモジュール３の左右両端近傍に配置されている。このため、パネルモジュール３の中央部分に電源基板６やメイン基板７のための広い設置範囲を確保できる。補強金具２０，３０は、例えば、鉄などの金属で形成され、パネルモジュール３の上面３ａと下面３ｃとを連結している。これら補強金具２０，３０によってパネルモジュール３の高剛性を維持できる。
【００２１】
後キャビネット８は、補強金具２０，３０に対応した位置、例えば、上側のコーナ部分の周辺にネジ孔８ａを有しており、補強金具２０，３０にネジ止めされる。これにより、前キャビネットには、後キャビネットと連結するためのボスなどを設けなくて済み、この点も額縁を狭めるデザインの達成に寄与する。
【００２２】
図４は、図３の表示モジュールから補強部材等を取り外した状態の一例を示す図である。また、図５は、図４の補強金具の正面図および側面図である。この図５（Ａ）の正面図は、図４の手前側（図２の左側）の補強金具２０を背面シャーシ５から見たものであり、図５（Ｂ）の正面図は、図４の奥側（図２の右側）の補強金具３０を背面シャーシ５から見たものである。補強金具２０，３０は、背面シャーシ５の背面側に配置されるが、上端２１，３１がパネルモジュール３の上面３ａに沿うように、下端２２，３２がパネルモジュール３の下面３ｃに沿うようにそれぞれ曲げられている。
【００２３】
補強金具２０，３０の上端２１，３１は、下方に向けて延びたフック部２１ａ，３１ａをそれぞれ有し、補強金具２０，３０をパネルモジュール３に取り付ける際に、フック部２１ａ，３１ａは、図４に示す上面３ａに形成された孔２１ｂ，３１ｂに差し込まれる。なお、この孔２１ｂ，３１ｂは、汎用のパネルモジュールに予め設けられているネジ孔を利用してもよい。
【００２４】
このように、上端２１，３１はフック部２１ａ，３１ａを有し、このフック部２１ａ，３１ａが上面３ａに係合するので、従来のような前キャビネットの背面部分に対する補強金具の締結領域を無くすことができる。したがって、前キャビネット２の大きさをパネルモジュール３の大きさに近づけ易くなり、額縁を狭めるデザインが達成可能になる。
また、参照符号２２ｂ，３２ｂは、図３に示した後キャビネット８のネジ孔８ａに対向するネジ孔であり、ネジ孔２２ｂ，３２ｂは、上端２１，３１の近傍に形成されている。
【００２５】
一方、補強金具２０，３０の下端２２，３２は、下面３ｃのネジ孔（図示省略）に対向するネジ孔２２ａ，３２ａをそれぞれ有している。上端２１，３１のフック部２１ａ，３１ａを孔２１ｂ，３１ｂに係合させた後、下端２２，３２と下面３ｃとは上方に向けて挿入したネジ（図示省略）で固定される。このように、補強金具２０，３０は、その下端２２，３２へのネジ止めのみで済むので、従来のような背面シャーシの背面部分に対する補強金具の締結領域を無くすことができる。また、前キャビネットや背面シャーシの各背面部分にネジ止めする場合に比べて部品点数や作業工数を削減できる。
【００２６】
また、液晶表示装置１の上下方向に延びた補強金具２０，３０は、パネルモジュール３の固定や、電源基板６およびメイン基板７の位置決めの機能も備えている。
詳しくは、図５に示すように、補強金具２０，３０は、パネルモジュール３の端部分に対向する外側端２３，３３と、パネルモジュール３の中央部分に対向する内側端２４，３４とを有している。
【００２７】
補強金具２０，３０の外側端２３，３３は、その一部が前キャビネット２の内側に向けて延びている。具体的には、図６に示すように、補強金具２０の外側端２３には、図２に示した前キャビネット２の右面２ｄに向けて延びた、段付き形状の差し込み片２３ａが設けられている。差し込み片２３ａの根元部分は、背面シャーシ５の背面に当接し、差し込み片２３ａの先端部分は、前キャビネット２の右面２ｄの内側に形成された突部２ｅに当接しており、差し込み片２３ａは、背面シャーシ５と前キャビネット２とによって、液晶表示装置１の前後方向で支持されている。
【００２８】
次に、補強金具３０の外側端３３には、図２に示した前キャビネット２の左面２ｂに向けて延びた、段付き形状の差し込み片３３ａが設けられている。差し込み片３３ａの根元部分は、背面シャーシ５の背面に当接し、差し込み片３３ａの先端部分は、前キャビネット２の左面２ｂの内側に形成された突部２ｅに当接している。これにより、差し込み片３３ａもまた、背面シャーシ５と前キャビネット２とによって、液晶表示装置１の前後方向で支持される。これら差し込み片２３ａ，３３ａを用いれば、パネルモジュール３の剛性をさらに高めることができ、また、前キャビネット２に対するパネルモジュール３の固定が容易になる。
【００２９】
また、補強金具２０，３０の内側端２４，３４は、その一部がパネルモジュール３の中央に向けて延びている。具体的には、まず、補強金具２０の内側端２４には、背面シャーシ５の中央部分に向けて延びた、ネジ孔付きの支持片２４ａが設けられており、支持片２４ａは、図２に示すように、電源基板６の側方の２箇所をネジ止めで固定している。次に、補強金具３０の内側端３４にも支持片３４ａが設けられている。この支持片３４ａは、図２に示したメイン基板７上のスロット１２に対向しており、スロット１２に当接してメイン基板７を位置決めしている。このように、補強金具２０，３０が電源基板６やメイン基板７の支持機能も有するため、この点も部品点数の削減になる。
【００３０】
また、液晶テレビの液晶パネルモジュールについて記述したが、本発明は、それに限られることなく、他の表示装置についても適用できる。表示部分がモジュール構造であればよく、有機ＥＬ、プラズマ等であってもよい。
有機ＥＬは、ガラスなどの透明な基板上に、陽極としてITO(Indium Tin Oxide)透明導電膜、その上に単層あるいは多層の有機発光層、陰極にAlなどの金属が順次成膜された構造である。有機ＥＬの表示モジュールとして、発光部の基板と基板の熱を放熱する放熱板を一体としたモジュールが考えられる。モジュール自体、薄い構造であることから、モジュール上部をビス止めせず、フック構造で固定することは、狭額縁を実現するために好適である。
【００３１】
プラズマディスプレイは放電による発光を利用した平面型表示素子の一種であり、電極を表面に形成したガラス板と、電極および、微小な溝を表面に形成し、溝内に赤、緑、青の蛍光体層を形成したガラス板とを狭い間隔で対向させて希ガスを封入し、この電極間に電圧をかけることによって紫外線を発生させ、蛍光体を光らせて表示を行う構造である。プラズマディスプレイの表示モジュールとして、発光部の基板と基板の熱を放熱する放熱板を一体としたモジュールが考えられる。モジュール自体、薄い構造であることから、モジュール上部をビス止めせず、フック構造で固定することは、狭額縁を実現するために好適である。
【００３２】
以上、実施例について説明したが、本発明は、表示モジュールと、前記表示モジュールの周囲に設けられた前キャビネットと、前記表示モジュールの左右両端近傍にそれぞれ設けられると共に、該表示モジュールの上面と下面にかけて延在する補強金具とを備え、該補強金具の上端には、前記表示モジュールの上面に係合するフック部が形成されていてもよい。このように、補強金具の上端はフック部を有し、このフック部が表示モジュールの上面に係合するので、従来のような前キャビネットの背面部分に対する補強金具の締結領域を無くすことができる。よって、前キャビネットの大きさを表示モジュールの大きさに近づけ易くなり、額縁を狭めるデザインが達成可能になる。さらに、補強金具を表示モジュールの左右両端近傍にそれぞれ設けるため、表示モジュールの中央部分に回路基板の広い設置範囲を確保できる。
【００３３】
また、前記補強金具の下端は、前記表示モジュールの下面にネジ止めされてもよい。この場合、補強金具は、その下端へのネジ止めのみで済むので、従来のような背面シャーシの背面部分に対する補強金具の締結領域を無くすことができる。また、前キャビネットや背面シャーシの各背面部分にネジ止めする場合に比べて部品点数や作業工数を削減できる。
【００３４】
また、前記補強金具の側端には、前記前キャビネットの内側に向けて延びた差し込み片が形成され、該差し込み片が前記表示モジュールの背面と前記前キャビネットの内側に形成された突部とに当接していてもよい。このように、補強金具が表示モジュールと前キャビネットとで挟み付けられており、表示モジュールの剛性をさらに高めることができ、また、前キャビネットに対する表示モジュールの固定が容易になる。
【００３５】
また、前記補強金具の側端には、前記表示モジュールの中央に向けて延びた支持片が形成され、該支持片が前記表示モジュールを駆動させる回路基板を固定していてもよい。この場合、補強金具が回路基板の支持機能も有するため、この点も部品点数の削減になる。
また、前記表示モジュールの背面を覆う後キャビネットをさらに備え、前記後キャビネットは、前記補強金具にネジ止めされていてもよい。後キャビネットは補強金具にネジ止めされているので、例えば、前キャビネットにボスなどを設けなくて済み、この点も額縁を狭めるデザインの達成に寄与する。
【符号の説明】
【００３６】
１…液晶表示装置、２…前キャビネット、２ａ，３ａ…上面、２ｂ，３ｂ…左面、２ｃ，３ｃ…下面、２ｄ，３ｄ…右面、２ｅ…突部、３…パネルモジュール、４…液晶パネル、５…背面シャーシ、６…電源基板、７…メイン基板、７ａ…外部接続端子、７ｂ…放熱板、７ｃ…カバー、８…後キャビネット、８ａ…ネジ孔、９…スタンド、１０…コード引出部、１１…端子引出部、１２…スロット、２０，３０…補強金具、２１，３１…上端、２１ａ，３１ａ…フック部、２１ｂ，３１ｂ…ネジ孔、２２，３２…下端、２２ａ，２２ｂ，３２ｂ，３２ａ…ネジ孔、２３，３３…外側端、２３ａ，３３ａ…差し込み片、２４，３４…内側端、２４ａ，３４ａ…支持片。
【図１】
2015055639.tif 000003
【図２】
2015055639.tif 000004
【図３】
2015055639.tif 000005
【図４】
2015055639.tif 000006
【図５】
2015055639.tif 000007
【図６】
2015055639.tif 000008